(57)【要約】【課題】  ネットワーク断を引き起こす異常光を検出・遮断する。【解決手段】  レーザダイオード３２は、センタ局１４に向かう上り光を出力する。レーザダイオード３２とＷＤＭカプラ３６の間に、常閉の光スイッチ３４を配置する。光分波器３８は上り光を分岐して、モニタ装置４０に印加する。モニタ装置４０は、上り光が異常光か否かをモニタする。上り光が異常光である場合、モニタ装置４０は、光スイッチ３４を開放する。【選択図】  図１
2005286803.tif 000002
【特許請求の範囲】
【請求項１】
複数の加入者が部分的に光ファイバ伝送路を共有してセンタ局と通信するスター型光ネットワークにおける加入者端局装置であって、
当該スター型光ネットワーク（１２）に接続するネットワーク接続端子（２０）と、
当該センタ局（１４）への上り光を発生する上り光発生装置（３０，３２，３４）と、
当該センタ局（１４）から当該ネットワーク端子（２０）に入力した下り光を受光する受光器（４２）と、
当該上り光発生装置（３０，３２，３４）の出力する上り光をモニタするモニタ装置であって、当該上り光が異常光である場合に、当該上り光発生装置（３０，３２，３４）に当該上り光の出力を停止させるモニタ装置（４０）
とを具備することを特徴とする加入者端局装置。
【請求項２】
当該上り光発生装置（３０，３２，３４）が、レーザ光源（３２）と、当該レーザ光源（３２）を駆動する駆動回路（３０）と、当該レーザ光源（３２）の出力に接続される光スイッチ（３４）とを具備し、
当該モニタ装置（４０）は、当該上り光が異常光である場合に当該光スイッチ（３４）を開放する
ことを特徴とする請求項１に記載の加入者端局装置。
【請求項３】
当該上り光発生装置（３０，３２，３４）が、レーザ光源（３２）と、当該レーザ光源（３２）を駆動する駆動回路（３０）とを具備し、
当該モニタ装置（４０）は、当該上り光が異常光である場合に、当該レーザ光源（３２）及び当該駆動回路（３０）の一方の動作を停止する
ことを特徴とする請求項１に記載の加入者端局装置。
【請求項４】
当該モニタ装置（４０）は、当該加入者端局装置の上り光送信許可期間以外の期間に、当該上り光が出力されているか否かを判定する判定装置（５４）を具備することを特徴とする請求項１乃至３の何れか１項に記載の加入者端局装置。
【請求項５】
当該モニタ装置（４０）は、当該上り光の所定期間の光パワーを計測するパワー計測装置（６０，６２）を具備することを特徴とする請求項１乃至３の何れか１項に記載の加入者端局装置。
【請求項６】
当該モニタ装置（４０）は、当該センタ局（１４）からの当該下り光で伝送される送信再開コマンドを受信する機能（５４，６４）を具備し、当該送信再開コマンドに応じて、当該上り光発生装置（３０，３２，３４）に当該上り光の出力を再開させることを特徴とする請求項１乃至５の何れか１項に記載の加入者端局装置。
【請求項７】
更に、当該ネットワーク接続端子（２０）と、当該上り光発生装置（３０，３２，３４）と、当該受光器（４２）との間に、当該上り光発生装置（３０，３２，３４）から出力される当該上り光を当該ネットワーク接続端子（２０）に転送し、当該ネットワーク接続端子（２０）からの当該下り光を当該受光器（４２）に転送する光転送装置（３６）を具備することを特徴とする請求項１乃至６の何れか１項に記載の加入者端局装置。
【請求項８】
複数の加入者が部分的に光ファイバ伝送路を共有してセンタ局と通信するスター型光ネットワークにおいて、加入者端局装置（１１０）と当該スター型光ネットワークの光伝送路（１２２）との間に配置される異常光検出遮断装置であって、
当該加入者端局装置（１１０）と当該光伝送路（１２２）の間に配置され、正常時には、当該加入者端局装置（１１０）から当該センタ局（１２４）への上り光、及び当該センタ局（１２４）から当該加入者端局装置（１１０）への下り光を通過する光スイッチ（１１８，１４０）と、
当該上り光をモニタし、当該上り光が異常光である場合に、当該光スイッチ（１１８，１４０）を制御して、当該上り光の通過を遮断するモニタ装置（１２６，１２８；１４４，１４６）
とを具備することを特徴とする異常光検出遮断装置。
【請求項９】
当該モニタ装置（１２６，１２８；１４４，１４６）は、当該加入者端局装置（１１０）の上り光送信許可期間以外の期間に、当該上り光が存在するか否かを判定する判定装置（５４）を具備することを特徴とする請求項８に記載の異常光検出遮断装置。
【請求項１０】
当該モニタ装置（１２６，１２８；１４４，１４６）は、当該上り光の所定期間の光パワーを計測するパワー計測装置（６０，６２）を具備することを特徴とする請求項８に記載の異常光検出遮断装置。
【請求項１１】
当該モニタ装置（１２６，１２８；１４４，１４６）は、当該センタ局（１２４）からの当該下り光で伝送される送信再開コマンドを受信する機能（５４，６４）を具備し、当該送信再開コマンドに応じて、当光スイッチ（１１８，１４０）を当該上り光を通過するように制御することを特徴とする請求項８乃至１０の何れか１項に記載の異常光検出遮断装置。
【請求項１２】
更に、当該上り光及び当該下り光を分岐して当該モニタ装置（１２６，１２８；１４４，１４６）に供給する光カプラ（１２０）を具備することを特徴とする請求項８乃至１１の何れか１項に記載の異常光検出遮断装置。
【請求項１３】
更に、当該上り光を分岐して当該モニタ装置（１２６，１２８；１４４，１４６）に供給する光カプラ（１４２）を具備し、
当該光スイッチは、当該上り光と当該下り光を通過する第１の状態と、当該上り光を遮断し、当該下り光を当該モニタ装置（１４４，１４６）に転送する第２の状態とを切替え可能な光スイッチ（１４０）である請求項８乃至１１の何れか１項に記載の異常光検出遮断装置。
【発明の詳細な説明】
【技術分野】
【０００１】
本発明は、ＰＯＮシステムのようなスター型光ネットワークにおける加入者端局装置及び異常光検出遮断装置に関する。
【背景技術】
【０００２】
センタ局と複数の加入者とを、受動光スプリッタにセンタ局の端局装置、いわゆるＯＬＴ（Optical Line Terminal）と各加入者の端局装置、いわゆるＯＮＵ（Optical Network Unit）を光ファイバで接続するスター型光ネットワークである光伝送システム、いわゆるＰＯＮ（Passive Optical Network）システムでは、何れかのＯＮＵ（Optical network Unit）が光ネットワークに異常光を出力すると、ネットワーク全体がダウンすることがある。
【０００３】
ＰＯＮシステムでは、各ＯＮＵは、ＯＬＴにより許可されたタイミングでのみ信号光をＯＬＴに向けて光ファイバに出力することができる。ＰＯＮシステムでは、下り信号の伝送にＴＤＭ（時分割多重）を使用し、上り信号の伝送にはＴＤＭＡ（時分割多重アクセス）を使用する。即ち、ＯＬＴは、各ＯＮＵには互いに重複しないタイムスロットを、センタ局への上り信号用に動的に割り当てる。異常光は、許可されていないタイミングにＯＮＵが光ファイバに出力する光である。異常光の発生原因には、信号光の光ファイバへの送出タイミングのエラー、及び、光源又はその駆動回路の故障による連続光出力等がある。
【０００４】
このような異常光を監視する装置として、別の通信回線で各上り信号をセンタ局に送信し、センタ局で信号の妥当性を検証し、異常光の場合には、各ＯＮＵと光カップラとの間の光ファイバ上でその異常光を遮断する構成が、特許文献１に記載されている。
【特許文献１】特開平１−９８０７８号公報
【発明の開示】
【発明が解決しようとする課題】
【０００５】
上記特許文献１に記載の構成では、各ＯＮＵの出力光をセンタ局に伝送する、ＰＯＮシステムとは別の通信回線を用意する必要がある。また、複数の光スプリッタを多段に接続する場合、構成が複雑になる。
【０００６】
本発明は、ＰＯＮシステムにおいて、より簡易な構成で異常光を検出・遮断できる加入者端局装置及び異常光検出遮断装置を提示することを目的とする。
【課題を解決するための手段】
【０００７】
本発明に係る加入者端局装置は、複数の加入者が部分的に光ファイバ伝送路を共有してセンタ局と通信するスター型光ネットワークに適用される。本発明に係る加入者端局装置は、当該スター型光ネットワークに接続するネットワーク接続端子と、当該センタ局への上り光を発生する上り光発生装置と、当該センタ局（１４）から当該ネットワーク端子に入力した下り光を受光する受光器と、当該上り光発生装置の出力する上り光をモニタするモニタ装置であって、当該上り光が異常光である場合に、当該上り光発生装置に当該上り光の出力を停止させるモニタ装置とを具備することを特徴とする。
【０００８】
本発明に係る異常光検出遮断装置は、複数の加入者が部分的に光ファイバ伝送路を共有してセンタ局と通信するスター型光ネットワークにおいて、加入者端局装置と当該スター型光ネットワークの光伝送路との間に配置される。本発明に係る異常光検出遮断装置は、当該加入者端局装置と当該光伝送路の間に配置され、正常時には、当該加入者端局装置から当該センタ局への上り光、及び当該センタ局から当該加入者端局装置への下り光を通過する光スイッチと、当該上り光をモニタし、当該上り光が異常光である場合に、当該光スイッチを制御して、当該上り光の通過を遮断するモニタ装置とを具備することを特徴とする。
【発明の効果】
【０００９】
本発明によれば、ネットワーク断を惹き起こすような異常光がスター型ネットワークに出力されてしまうことを防止できる。これにより、スター型ネットワークの信頼性が向上する。
【発明を実施するための最良の形態】
【００１０】
以下、図面を参照して、本発明の実施例を詳細に説明する。
【実施例１】
【００１１】
図１は、本発明の一実施例であるＯＮＵの概略構成ブロック図を示す。本実施例のＯＮＵ１０は、光ファイバ１２を介してセンタ局のＯＬＴ１４に接続し、ＬＡＮケーブル１６（及びハブ）を介してコンピュータ（ＰＣ）１８に接続する。ＯＮＵ１０に接続するデータ通信機器としては、ＰＣ１８以外に、いわゆるホームゲートウエイがある。ＯＮＵ１０の光ファイバ接続端子２０に光ファイバ１２が接続し、データ入力端子２２及びデータ出力端子２４にＬＡＮケーブル１６が接続する。光ファイバ１２は、ＰＯＮシステムにおいて、ＯＮＵ１０とＯＬＴ１４を接続する光伝送路を代表している。
【００１２】
ＰＣ１８から出力される上りデータＤｕｐは、データ入力端子２２を介してＬＡＮ受信装置２６に入力する。ＬＡＮ受信装置２６は、例えば、プリアンプ、及び、ＬＡＮデータのフレーム構成を光ファイバ１２上のデータフレーム構成に変換する変換装置等からなる。ＬＡＮ受信装置２６の出力データは、レート調節用のバッファ２８を介して駆動回路３０に印加される。駆動回路３０は、バッファ２８からのデータに従いレーザダイオード３２を駆動する。これにより、レーザダイオード３２は、上りデータＤｕｐを搬送する波長λ１の光信号を出力する。ＰＯＮシステムでは、上りと下りには異なる波長のレーザ光を使用する。ここでは、上り信号を搬送する光の波長をλ１とし、下り信号を搬送する光の波長をλ２とする。
【００１３】
レーザダイオード３２の出力信号光は、常閉の光スイッチ３４を介して波長分割多重（ＷＤＭ）光カップラ３６に入力する。ＷＤＭ光カップラ３６から出力される上り信号光は、光ファイバ接続端子２０及び光ファイバ１２を介してセンタ局のＯＬＴ１４に到達する。ＷＤＭ光カップラ３６と光ファイバ接続端子２０との間には、上り信号光の一部を分岐する光分波器３８を配置してある。光分波器３８は、例えば１×２の光カプラからなる。光分波器３８で分岐された上り信号光は、モニタ装置４０に供給される。モニタ装置４０の機能は、後述する。
【００１４】
ＯＬＴ１４は、ＰＣ１８に向けた下りデータＤｄｏｗｎ及びＯＮＵ１０に対する制御コマンドを搬送する波長λ２の下り信号光を光ファイバ１２に出力する。その下り信号光は、光ファイバ接続端子２０を介してＷＤＭ光カプラ３６に入力する。ＷＤＭ光カプラ３６は、波長λ２の下り信号光を受光器４２に供給する。受光器４２は、下り信号光を電気信号に変換する。受光器４２の出力は、モニタ装置４０とＬＡＮ送信装置４４に印加される。ＬＡＮ送信装置４４は、波形整形装置、受光器４２の出力電気信号のデータフレーム構成をＬＡＮのデータフレーム構成に変換する変換回路、及びプリアンプ等を含む。ＬＡＮ送信装置４４は、受光器４２の出力電気信号で搬送された下りデータＤｄｏｗｎをＬＡＮケーブル１６を介してＰＣ１８に供給する。モニタ装置４０は、受光器４２の出力電気信号の内、ＯＮＵ１０に対する制御コマンド及び光スイッチ３４の制御コマンドを取り込む。
【００１５】
ＯＮＵ１０は、既存のＯＮＵに光スイッチ３４、光分波器３８及びモニタ装置４０を追加した構成からなる。駆動回路３０、レーザダイオード３２、及び光スイッチ３４が、特許請求の範囲に定義される上り光発生装置として機能する。以下、追加された光スイッチ３４、光分波器３８及びモニタ装置４０による異常光の検出・遮断の機能を詳細に説明する。
【００１６】
他のＯＮＵとＯＬＴ１４との間の通信を阻害する状況としては、許可されたタイムスロットと許可されないタイムスロットの両方に上り信号光を出力するケース１と、許可されたタイムスロットには信号光を出力せずに、許可されていないタイムスロットに上り信号光を出力するケース２と、レーザダイオード３２が連続光を出力するケース３とがある。これらの異常光は、ＯＮＵ１０に許可されていないタイムスロットに波長λ１の上り光が存在するか否かを調べることで、検出できる。また、一般的には、ケース１，３は、光ファイバ１２に出力される波長λ１の光の光パワーを監視することで、検出できる。前者の検出方法は、ケース２を識別できるが、後者の方法は、ケース２を識別できない。
【００１７】
レーザダイオード３２から出力される波長λ１の上り光のほとんどは、光スイッチ３４、ＷＤＭカプラ３６及び光ファイバ１２を介してＯＬＴ１４に到達するが、一部は、光分波器３８で分波されてモニタ装置４０に入力する。モニタ装置４０は、光分波器３８からの上り光がケース１，２，３の何れかに該当するか否かを確認する。上述のように、モニタ装置４０は、光分波器３８からの上り光が許可されないタイムスロットにも存在するか否かを検出することにより、又は、光分波器３８からの上り光の光パワーが、あるべき光パワーよりも大きいか否かにより、異常光か否かを判別する。モニタ装置４０は、ＯＬＴ１４から上り信号送信用にＯＮＵ１０に割当てられたタイムスロットを、受光器４２の出力信号に含まれるＯＬＴ１４からの制御信号から知ることができる。例えば、モニタ装置４０又はその機能は、ＯＮＵ１０を制御する図示しないＣＰＵに含まれる。
【００１８】
異常光と判断すると、モニタ装置４０は、光スイッチ３４を開放する。これにより、異常光が光ファイバ１２に出力されることを完全に防止できる。動作の理解を容易にするために、レーザダイオード３２の出力側に光スイッチ３４を接続した構成例を図１に示したが、勿論、駆動回路３０とレーザダイオード３２との間に電気スイッチを配置し、異常光の発生時には、その電気スイッチを開放しても良い。データＤｕｐを搬送する信号を重畳している場合には、更には、異常光発生時に、駆動回路３０自体の動作を停止させて、レーザダイオード３２が絶対に発光しない、即ち上り光が光ファイバ１２に絶対に出力されないようにしても良い。
【００１９】
異常光遮断状態から回復するには、例えば、電源をオフにし再度オンにすることによりＯＮＵ１０を強制リセットする方法と、ＯＬＴ１４からＯＮＵ１０に光スイッチ閉成コマンド、又は上り信号送信再開コマンドを送信する方法がある。前者の場合、光スイッチ３４が初期化され、閉成状態になる。また、ＯＬＴ１４からＯＮＵ１０に光スイッチ閉成コマンドを送信すると、モニタ装置４０は、受光器４２の出力信号から制御コマンドを取り込み、その制御コマンドが光スイッチ閉成コマンド又は上り信号送信再開コマンドである場合には、光スイッチ３４を閉成する。ＯＬＴ１４からＯＮＵ１０に強制リセットのコマンドを送信するのに比べ、早期に利用可能になる。勿論、何れの方法も、異常光の発生が停止していることが前提となる。
【００２０】
また、光スイッチ３４をＷＤＭカプラ３６と光分波器３８の間、又は、光分波器３８と光ファイバ接続端子２０との間に配置しても良い。この場合、下り信号光を受信できなくなるので、回復には、マニュアルによる強制リセット以外に方法が無い。光分波器３８を光スイッチ３４とＷＤＭカプラ３６の間に配置しても良い。
【００２１】
図２は、モニタ装置４０の一構成例の概略構成ブロック図を示す。受光器５０は、光分波器３８からの上り光を電気信号に変換する。Ａ／Ｄ変換器５２は、受光器５０の出力をデジタル信号に変換して、マイクロプロセッサ５４に印加する。マイクロプロセッサ５４には、受光器４２の出力信号、特に制御信号が入力する。マイクロプロセッサ５４は、Ａ／Ｄ変換器５２の出力デジタル信号から、上り光が許可されたタイムスロット以外のタイムスロットに存在するかどうかを判定し、許可されたタイムスロット以外のタイムスロットに上り光が存在する場合には、光スイッチ３４を開放する。マイクロプロセッサ５４は、また、受光器４２の出力から得られるＯＬＴ１４からの制御コマンドに従い、光スイッチ３４の開閉を制御する。この構成では、ケース１，２，３の全てを検出でき、異常光を完全に防止できるが、モニタ装置４０の構成が複雑になる。
【００２２】
図３は、光パワーにより上り光が異常光か否かを判定するモニタ装置４０の概略構成ブロック図を示す。パワーモニタ６０は、光分波器３８からの上り光の光パワーを計測し、積分回路６２は、所定期間内、例えば、上り信号割り当ての１周期の期間内で、パワーモニタ６０の計測結果を積分する。スイッチ制御回路６４は、当該所定期間内の積分回路６２の積分結果を所定閾値と比較し、積分結果が当該所定閾値を越える場合には、上り光が異常光であると判断する。閾値は例えば,、正常時に上り信号に割り当てられる可能性のある最長期間での光パワー、又は,これより少し大きな光パワーに設定される。異常光の場合、スイッチ制御回路６４は、光スイッチ３４を開放する。スイッチ制御回路６４はまた、受光器４２の出力から得られるＯＬＴ１４からの制御コマンドに従い、光スイッチ３４の開閉を制御する。この構成では、許可されていないタイムスロットに上り光が存在するか否かを検出できない。
【００２３】
積分回路６２の積分期間は、ＯＬＴ１４により指定される帯域割当て期間以外の期間であってもよい。正常であれば、このような期間内に上り光は存在しないはずであり、この期間内で光パワーを検出できた場合、異常光が出力されていると判断できる。
【実施例２】
【００２４】
図４は、本発明の第２実施例の概略構成ブロック図を示す。図１に示す実施例と同じ構成要素には同じ符号を付してある。
【００２５】
図４に示す実施例のＯＮＵ１０ａでは、光分波器３８の代わりに、２×２の光カプラ７０を配置した。光カプラ７０は、レーザダイオード３２の出力する上り光、及びＯＬＴ１４からの下り光を分岐できる。分岐された上り光及び下り光は、モニタ装置７２に入力する。モニタ装置７２の構成は、基本的に、図２又は図３に示す構成からなるが、下り光を電気信号に変換する受光器を具備する。モニタ装置７２は、光カプラ７０からの上り光を、モニタ装置４０と同様にモニタし、上り光が異常光である場合には、光スイッチ３４を開放する。また、モニタ装置７２は、光カプラ７０からの下り光を電気信号に変換し、その電気信号に含まれるＯＬＴ１４からの制御コマンドを解析する。ＯＬＴ１４からの制御コマンドが光スイッチ３４の閉成を指示するコマンドである場合には、モニタ装置７２は、そのコマンドに従い光スイッチ３４を閉成する。
【実施例３】
【００２６】
図５は、本発明の第３実施例の概略構成ブロック図を示す。図１に示す実施例と同じ構成要素には同じ符号を付してある。
【００２７】
図５に示す実施例のＯＮＵ１０ｂでは、ＷＤＭカプラ３６と受光器４２の間に、下り光を分岐する光分波器７４を設け、光分波器７４で分波された下り光をモニタ装置７６に入力した。モニタ装置７６は、モニタ装置７２と同様の構成と機能からなる。モニタ装置７６は、光分波器３８からの上り光をモニタ装置４０と同様にモニタし、上り光が異常光である場合には、光スイッチ３４を開放する。また、モニタ装置７６は、光分波器７４からの下り光を電気信号に変換し、その電気信号に含まれるＯＬＴ１４からの制御コマンドを解析する。ＯＬＴ１４からの制御コマンドが光スイッチ３４の閉成を指示するコマンド又は上り信号送信再開コマンドである場合には、モニタ装置７６は、そのコマンドに従い光スイッチ３４を閉成する。
【実施例４】
【００２８】
図６は、本発明の第４実施例の概略構成ブロック図を示す。この実施例では、異常光検出・遮断機能を、既存のＯＮＵの外側に配置した。この実施例は、既存のＯＮＵに異常光遮断検出機能を追加するのに役立つ。
【００２９】
ＯＮＵ１１０は、光ファイバ接続端子１１２とＬＡＮ端子１１４を具備する。ＬＡＮ端子１１４には、直接又はハブを介してコンピュータ１１６が接続する。ＯＮＵ１１０は、例えば、ＯＮＵ１０から光スイッチ３４、光分波器３８及びモニタ装置４０を除外した構成からなる。
【００３０】
ＯＮＵ１１０の光ファイバ接続端子１１２は、常閉の光スイッチ１１８、２×２光カプラ１２０及び光ファイバ１２２を介して、センタ局のＯＬＴ１２４に接続する。光ファイバ１２２は、光ファイバ１２と同様に、ＰＯＮシステムにおける光伝送路を代表する。２×２光カプラ１２０は、ＯＮＵ１１０からＯＬＴ１２４に向かう上り光、及びＯＬＴ１２４からＯＮＵ１１０に向かう下り光をそれぞれ分岐する。光カプラ１２０で分岐された上り光は、モニタ装置１２６に入力する。受光器１２８は、光カプラ１２０で分岐された下り光を電気信号に変換し、受光器１２８の出力電気信号は、モニタ装置１２６に入力する。モニタ装置１２６は、ＯＮＵ１１０と同期動作する機能を除いて、図２又は図３に示す構成と同じである。モニタ装置１２６は、ＯＮＵ１１０との同期動作のために、同期信号線１３０によりＯＮＵ１１０に接続する。
【００３１】
本実施例では、ＯＮＵ１１０のファイバ接続端子１１２から出力される上り光は、光スイッチ１１８を介して光カプラ１２０に入力する。光カプラ１２０は、光スイッチ１１８からの上り光のほとんどを光ファイバ１２２に出力し、残りをモニタ装置１２６に印加する。モニタ装置１２６は、光カプラ１２０からの上り光が許可されないタイムスロットにも存在するか否かを検出することにより、又は、その上り光の光パワーが所定閾値よりも大きいか否かにより、上り光が異常光か否かを判別する。上り光が異常光であると判断したとき、モニタ装置１２６は、光スイッチ１１８を開放する。これにより、異常な上り光が光ファイバ１２２に出力されることを完全に防止できる。但し、本実施例では、光スイッチ１１８は、ＯＬＴ１２４からＯＮＵ１１０への下り光も遮断する。
【００３２】
異常光遮断状態から回復するには、ＯＬＴ１２４からモニタ装置１２６に光スイッチ閉成コマンドを送信する。この光スイッチ閉成コマンドは、例えば、ＯＬＴ１２４からＯＮＵ１１０への下り信号光を使ってモニタ装置１２６に伝送される。このスイッチ制御コマンドとしてＯＮＵ１１０にとって不使用のコマンドを使用すれば良い。ＯＬＴ１２４から出力された下り信号光は、光ファイバ１２２および光カプラ１２０を介して受光器１２８に入力する。受光器１２８は、ＯＬＴ１２４からの下り信号を電気信号に変換し、その電気信号をモニタ装置１２６に印加する。モニタ装置１２６は、受光器１２８の出力電気信号に含まれる光スイッチ閉成コマンドに従い、光スイッチ１１８を閉成する。これにより、ＯＮＵ１１０から出力される上り光が、光スイッチ１１８を通過でき、光カプラ１２０および光ファイバ１２２を介してＯＬＴ１２４に到達できる。
【００３３】
光パワーの測定により異常光か否かを判定する場合、モニタ装置１２６は、ＯＮＵ１１０との間の同期を確立する必要は無い。
【実施例５】
【００３４】
図７は、本発明の第５実施例の概略構成ブロック図を示す。図７に示す実施例は、図６に示す実施例の変更例でもあり、図６に示す実施例と同じ構成要素には同じ符号を付してある。
【００３５】
光スイッチ１１８の代わりに光スイッチ１４０を配置し、２×２光カプラ１２０の代わりに、上り光のみを分岐する１×２光カプラ１４２を配置する。光スイッチ１４０は、共通接点Ｃと、共通接点Ｃに選択的に接続する２つの接点Ａ，Ｂを具備する。接点ＡがＯＮＵ１１０のファイバ接続端子１１２に接続し、接点Ｂは受光器１４４に接続し、共通接点Ｃが、上り光を分波する１×２光カプラ１４２に接続する。光カプラ１４２で分岐された上り光は、モニタ装置１４６に印加される。光スイッチ１４０は、通常時には、接点Ａが共通接点Ｃに接続し、異常光の遮断時には、接点Ｂが共通接点Ｃに接続する。
【００３６】
接点Ａが共通接点Ｃに接続するとき、ＯＮＵ１１０から出力される上り光はＯＬＴ１２４に到達でき、ＯＬＴ１２４から出力される下り光は、ＯＮＵ１１０に到達できる。光カプラ１４２は、光スイッチ１４０からの上り光のほとんどを光ファイバ１２２に出力し、残りをモニタ装置１４６に印加する。モニタ装置１４６は、光カプラ１４２からの上り光が許可されないタイムスロットにも存在するか否かを検出することにより、又は、その上り光の光パワーが所定閾値よりも大きいか否かにより、異常光か否かを判別する。ＯＮＵ１１０は、上り信号の為に許可されたタイムスロットをモニタ装置１４６に通知する。モニタ装置１４６は、上り光が異常光であると判断すると、光スイッチ１４０の共通接点Ｃを接点Ｂに切り替える。これにより、異常な上り光が光ファイ１２２に出力されることを完全に防止できる。
【００３７】
光スイッチ１４０の接点Ｂが共通接点Ｃに接続すると、ＯＮＵ１１０から出力される上り光は光スイッチ１４０で遮断されるが、ＯＬＴ１２４から出力される下り光は、光スイッチ１４０により受光器１４４に入力する。受光器１４４は、その下り光を電気信号に変換してモニタ装置１４６に印加する。これにより、ＯＮＵ１１０は、ＯＬＴ１２４からの信号を受信できないが、モニタ装置１４６は、ＯＬＴ１２４からの信号、例えば、制御コマンドを受信できる。
【００３８】
異常光遮断状態から回復したいとき、ＯＬＴ１２４は、モニタ装置１２６に光スイッチ切替えコマンドを送信する。ＯＬＴ１２４から出力された光スイッチ切替えコマンドを搬送する下り信号光は、光ファイバ１２２、光カプラ１４２及び光スイッチ１４０を介して受光器１４４に入力する。受光器１４４は、ＯＬＴ１２４からの下り信号光を電気信号に変換し、その電気信号をモニタ装置１４６に印加する。モニタ装置１４６は、受光器１４４の出力電気信号に含まれる光スイッチ切替えコマンドに従い、光スイッチ１４０の共通接点Ｃを接点Ａに接続する。これにより、ＯＮＵ１１０から出力される上り光が、光スイッチ１４０を通過でき、光カプラ１４２及び光ファイバ１２２を介してＯＬＴ１２４に到達できる。
【００３９】
光パワーの測定により異常光か否かを判定する場合、モニタ装置１４６は、ＯＮＵ１１０との間の同期を確立する必要は無い。
【００４０】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４１】
【図１】本発明の第１実施例の概略構成ブロック図である。
【図２】モニタ装置４０の構成例を示す概略構成ブロック図である。
【図３】モニタ装置４０の第２の構成例を示す概略構成ブロック図である。
【図４】本発明の第２実施例の概略構成ブロック図である。
【図５】本発明の第３実施例の概略構成ブロック図である。
【図６】本発明の第４実施例の概略構成ブロック図である。
【図７】本発明の第５実施例の概略構成ブロック図である。
【符号の説明】
【００４２】
１０，１０ａ，１０ｂ：ＯＮＵ
１２：光ファイバ
１４：ＯＬＴ
１６：ＬＡＮケーブル
１８：コンピュータ（ＰＣ）
２０：光ファイバ接続端子
２２：データ入力端子
２４：データ出力端子
２６：ＬＡＮ受信装置
２８：バッファ
３０：駆動回路
３２：レーザダイオード
３４：光スイッチ
３６：ＷＤＭカプラ
３８：光分波器
４０：モニタ装置
４２：受光器
４４：ＬＡＮ送信装置
５０：受光器
５２：Ａ／Ｄ変換器
５４：マイクロプロセッサ
６０：パワーモニタ
６２：積分回路
６４：スイッチ制御回路
７０：２×２光カプラ
７２：モニタ装置
７４：光分波器
７６：モニタ装置
１１０：ＯＮＵ
１１２：光ファイバ接続端子
１１４：ＬＡＮ端子
１１６：コンピュータ
１１８：光スイッチ
１２０：２×２光カプラ
１２２：光ファイバ
１２４：ＯＬＴ
１２６：モニタ装置
１２８：受光器
１３０：同期信号線
１４０：光スイッチ
１４２：１×２光カプラ
１４４：受光器
１４６：モニタ装置
【図１】
2005286803.tif 000003
【図２】
2005286803.tif 000004
【図３】
2005286803.tif 000005
【図４】
2005286803.tif 000006
【図５】
2005286803.tif 000007
【図６】
2005286803.tif 000008
【図７】
2005286803.tif 000009